(57)【特許請求の範囲】
【請求項１】
隣接する建造物の床相互間の目地に差し渡されて該目地を覆うカバー体の一端を、一方の床の側縁に保持手段を介して少なくとも目地幅方向に移動不能に保持し、該カバー体の他端部を自由端部とする一方、他方の床の側縁に、水平受板と、該水平受板の上部に対設されて該水平受板の外端に一端縁が連結された端部カバー板とを備え、該端部カバー板と水平受板間をカバー体の自由端部が摺動可能に挿入される摺動空隙とする摺動受枠体が配設された床用目地カバー装置において、
前記摺動空隙に挿入されるカバー体の自由端部の上面高さが、地震のない常態で前記摺動空隙に挿入されないカバー体の非挿入部の上面高さに比して端部カバー板の厚み分だけ低く設けられ、カバー体の自由端部が、その上面を端部カバー板の下面に重ね合わせた状態で摺動空隙に挿入されて、カバー体の非挿入部の上面と端部カバー板の上面とが略同一高さに設けられているものであって、
端部カバー板の上面に化粧シートが被着されるとともに、該端部カバー板の端縁上面に前記化粧シートの端縁を見切り、かつ先端部がカバー体の非挿入部の上面に乗載される遮蔽板が配設される一方、カバー体の非挿入部の上面に化粧シートが被着されるとともに、該化粧シートの端縁を見切る見切り板が、前記遮蔽板に対向させてカバー体の非挿入部の上面に位置調整可能に配設されていることを特徴とする床用目地カバー装置。
【発明の詳細な説明】
【技術分野】
【０００１】
本発明は、隣接する建造物の床相互間の目地を覆う床用目地カバー装置に関する。
【背景技術】
【０００２】
緩衝機能を備えた免震装置によって下部が支持された建物からなる建造物にあっては、地震時における水平方向の揺れが大きくなる傾向がある。このような免震構造の建造物の周囲には、隣接する人工地盤からなる建造物との間に、前記揺れを吸収し得る比較的広幅の目地が形成されており、かかる免震構造の建物の目地に好適に使用し得る床用目地カバー装置が、本願出願人によって先に提案されている（特許文献１参照）。
【０００３】
かかる床用目地カバー装置は、図６（Ａ）に示すように、建造物Ａの床ｆ1 と、該床ｆ1 に目地ｓを介して隣接する建造物Ｂの床ｆ2 との間に差し渡されて前記目地ｓを覆うカバー体Ｃの一端を、前記床ｆ1 の側縁に連結手段ａを介して傾動可能に連結し、該カバー体Ｃの他端部を自由端部として、該自由端部の端縁にその下面から外端上面に向けて傾斜する傾斜端縁ｂを設けるとともに、該傾斜端縁ｂの上部からカバー体Ｃの上面ｄと略面一となるようにして端部カバー板ｃを建造物Ｂ側に向けて突設する一方、前記建造物Ｂの床ｆ2 の側縁に、水平受板部ｅと、該水平受板部ｅの外端に前記傾斜端縁ｂと同方向に傾斜する傾斜受板部ｇとを備えた摺動受枠体ｈを配設し、該摺動受枠体ｈの水平受板部ｅ上に、前記カバー体Ｃの自由端部を乗載するとともに、前記端部カバー板ｃの外端を建造物Ｂの床ｆ2 上に乗載し、該端部カバー板ｃによってカバー体Ｃの傾斜端縁ｂと摺動受枠体ｈの傾斜受板部ｇ間に生じる空隙ｊの上方を遮蔽するように構成されている。
【０００４】
そして、地震時において、建造物Ａと、隣接する建造物Ｂとが近接する方向に比較的小さく相対変位した場合には、カバー体Ｃの自由端部が摺動受枠体ｈの水平受板部ｅ上を空隙ｊの範囲内で水平に摺動してその相対変位に追従し、さらに大きく相対変位すると、図６（Ｂ）に示すように、カバー体Ｃは、一端の連結手段ａを支点として、自由端部に形成された傾斜端縁ｂが摺動受枠体ｈの傾斜受板部ｇに沿ってずれ上がることにより、その相対変位から逃げることができるようになっている。
【０００５】
ところで、かかる従来構成の床用目地カバー装置にあっては、地震により、建造物Ａと、隣接する建造物Ｂとが近接する方向に大きく相対変位して、カバー体Ｃの自由端部が建造物Ｂの床ｆ2 上に乗り上げた場合に、端部カバー板ｃが中空に突出する状態となるため（図６（Ｂ）参照）、避難時の障害となる虞があった。
【０００６】
また、従来構成の床用目地カバー装置にあっては、建造物Ａと建造物Ｂとが前後方向（目地ｓの長手方向）に相対変位した場合に、カバー体Ｃの自由端部の前後方向の移動幅に相当するスペースを自由端部の前後両側に確保しておく必要があり、カバー体Ｃの自由端部の前後両側に壁等の立上がり部が形成されていて前記スペースが確保できない場所には適用することができなかった。
【０００７】
そこで、このような問題点を解消し得るようにした床用目地カバー装置が本願出願人によって製作されている。これは、図７に示すように、隣接する建造物Ａ，Ｂの床ｆ1 ，ｆ2 相互間の目地ｓに差し渡されて該目地ｓを覆うカバー体Ｃの一端を、一方の床ｆ1 の側縁に保持手段ｋを介して少なくとも目地ｓの幅方向に移動不能に保持し、該カバー体Ｃの他端部を自由端部とする一方、他方の床ｆ2 の側縁に、水平受板ｍと、該水平受板ｍの上部に対設され、かつ該水平受板ｍの外端に一端縁が連結された端部カバー板ｎとを備えた摺動受枠体ｐを配設し、該端部カバー板ｎと水平受板ｍ間に形成された摺動空隙ｒにカバー体Ｃの自由端部を摺動可能に挿入するようにしている。
【０００８】
また、前記保持手段ｋは、カバー体Ｃの一端に配設されたスライダーｔと、一方の建造物Ａの床ｆ1 の側縁に配設されて、前記スライダーｔを目地ｓの長手方向に摺動可能に支持するレール部材ｕとによって構成されており（特許文献２参照）、地震時に、隣接する建造物Ａ，Ｂの床ｆ1 ，ｆ2 相互が前後方向（目地ｓの長手方向）に相対変位すると、レール部材ｕに支持されたスライダーｔの摺動作用を介して、カバー体Ｃの一端が一方の床ｆ1 の側縁に沿って前後方向に摺動して、その相対変位に追従するようになっている。これにより、カバー体Ｃの自由端部の前後両側に壁等の立上がり部が形成されている場所に適用し得るものとなっている。
【先行技術文献】
【特許文献】
【０００９】
【特許文献１】特開平１０−３１７５１６号公報
【特許文献２】特開２００４−２７６３８号公報（図１０）
【発明の概要】
【発明が解決しようとする課題】
【００１０】
ところで、上記のように端部カバー板ｎと水平受板ｍ間に形成された摺動空隙ｒにカバー体Ｃの自由端部を摺動可能に挿入するようにした従来の床用目地カバー装置にあっては、カバー体Ｃの上面が全面に亘って平らに形成されており、該カバー体Ｃの上面に厚さ９ｍｍ程度の比較的厚みのある端部カバー板ｎの端縁が乗載されているため、カバー体Ｃの上面と端部カバー板ｎの上面との間に段差ができてしまい、見た目が悪いという問題点があった。
【００１１】
本発明は、かかる従来構成の問題点を解消するためになされたものであって、カバー体の上面と端部カバー板の上面との間に段差が生じないようにした床用目地カバー装置を提供することを目的とするものである。
【課題を解決するための手段】
【００１２】
本発明は、隣接する建造物の床相互間の目地に差し渡されて該目地を覆うカバー体の一端を、一方の床の側縁に保持手段を介して少なくとも目地幅方向に移動不能に保持し、該カバー体の他端部を自由端部とする一方、他方の床の側縁に、水平受板と、該水平受板の上部に対設されて該水平受板の外端に一端縁が連結された端部カバー板とを備え、該端部カバー板と水平受板間をカバー体の自由端部が摺動可能に挿入される摺動空隙とする摺動受枠体が配設された床用目地カバー装置において、前記摺動空隙に挿入されるカバー体の自由端部の上面高さが、地震のない常態で前記摺動空隙に挿入されないカバー体の非挿入部の上面高さに比して端部カバー板の厚み分だけ低く設けられ、カバー体の自由端部が、その上面を端部カバー板の下面に重ね合わせた状態で摺動空隙に挿入されて、カバー体の非挿入部の上面と端部カバー板の上面とが略同一高さに設けられていることを特徴とする床用目地カバー装置である。
【００１３】
上記床用目地カバー装置にあって、端部カバー板の上面に化粧シートが被着されるとともに、該端部カバー板の端縁上面に前記化粧シートの端縁を見切り、かつ先端部がカバー体の非挿入部の上面に乗載される遮蔽板が配設される一方、カバー体の非挿入部の上面に化粧シートが被着されるとともに、該化粧シートの端縁を見切る見切り板が前記遮蔽板に対向させてカバー体の非挿入部の上面に配設され、該見切り板の上方からカバー体に螺合される複数の螺子による固定によって見切り板の配設位置が調節可能に設けられている構成が提案される。
【００１４】
ここで、見切り板を固定する螺子には、回転によってカバー体にネジを切りながらねじ込まれるタッピングビスが好適に用いられ得る。
【発明の効果】
【００１５】
本発明は、上述したように、端部カバー板と水平受板間の摺動空隙に挿入されるカバー体の自由端部の上面高さが、地震のない常態で前記摺動空隙に挿入されないカバー体の非挿入部の上面高さに比して端部カバー板の厚み分だけ低く設けられ、カバー体の自由端部が、その上面を端部カバー板の下面に重ね合わせた状態で摺動空隙に挿入されて、カバー体の非挿入部の上面と端部カバー板の上面とが略同一高さに設けられていることにより、カバー体の上面と端部カバー板の上面との間に段差が生じることがなく、これによって外的美観を向上させることができる。
【００１６】
また、端部カバー板の上面に化粧シートが被着されるとともに、該端部カバー板の端縁上面に前記化粧シートの端縁を見切り、かつ先端部がカバー体の非挿入部の上面に乗載される遮蔽板が配設される一方、カバー体の非挿入部の上面に化粧シートが被着されるとともに、該化粧シートの端縁を見切る見切り板が前記遮蔽板に対向させてカバー体の非挿入部の上面に配設され、該見切り板の上方からカバー体に螺合される複数の螺子による固定によって見切り板の配設位置が調節可能に設けられている構成にあっては、地震が終わった後に、見切り板と遮蔽板の相互間隔が施工時に設定された間隔に比して変化して、見切り板に遮蔽板が乗り上げた状態となったり、逆に見切り板と遮蔽板の間隔が広がり過ぎた状態となった場合に、螺子を取り外して見切り板を移動させ、再度螺子で見切り板を固定することにより、見切り板と遮蔽板の相互間隔を適正間隔に戻すことができる。
【図面の簡単な説明】
【００１７】
【図１】本発明にかかる床用目地カバー装置の施工状態を示す側断面図である。
【図２】同上の床用目地カバー装置の施工状態を示す平面図である。
【図３】水平受板２の外端と端部カバー板３との連結部分、及びカバー天板８の傾斜部１２部分を示す一部切欠拡大側断面図である。
【図４】見切り板１５に遮蔽板１４が乗り上げた状態となった場合における見切り板１５と遮蔽板１４の相互間隔を適正間隔に戻す手順を示す説明図である。
【図５】見切り板１５と遮蔽板１４の間隔が広がり過ぎた状態となった場合における見切り板１５と遮蔽板１４の相互間隔を適正間隔に戻す手順を示す説明図である。
【図６】（Ａ）は従来構成の概略側断面図、（Ｂ）はその作用説明図である。
【図７】他の従来構成の施工状態を示す側断面図である。
【発明を実施するための形態】
【００１８】
以下に、本発明の一実施例を、図１〜図５に基づいて説明する。
図面において、Ａは緩衝機能を備えた免震装置（図示省略）によって下部が支持された免震構造の建物からなる建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１９】
前記建造物Ｂの床ｆ2 の側縁には、図１〜図３において左右方向（目地ｓの幅方向）に比較的長い鋼板からなる水平受板２と、該水平受板２の上部を覆う鋼板からなる端部カバー板３とを備えた摺動受枠体１が配設されている。水平受板２と端部カバー板３は、後述するカバー体Ｃの自由端部の厚みに略一致する間隔で上下に対設されており、該水平受板２と端部カバー板３間に生じる空隙をカバー体Ｃの自由端部が摺動可能に挿入される摺動空隙２９としている。また、端部カバー板３の後端は、図３に示すように、水平受板２の後端に設けられた立ち上がり支持縁２ａに螺子４で連結されている。端部カバー板３は、比較的厚みが薄い鋼板（厚さ3.2〜4.5ｍｍ程度のもの）が用いられており、後端が螺子４で傾動不能に連結されていても前端側が塑性変形を生じない範囲で弾性変形によって面方向に湾曲し得るものとなっている。また、端部カバー板３は、建造物Ｂの床ｆ2 と同一高さとなるように配設されており、該端部カバー板３の上面には、建造物Ａの床ｆ1 及び建造物Ｂの床ｆ2 上に貼設される合成樹脂製の化粧シート５ａと同じ化粧シート５ｂが被着されている。また、摺動受枠体１は、図２に示すように、カバー体Ｃを配置した状態において、目地ｓの長手方向に沿うカバー体Ｃの前後幅に対応する所定の幅で形成されている。
【００２０】
建造物Ａの床ｆ1 と建造物Ｂの床ｆ2 の間には、カバー体Ｃが差し渡され、目地ｓを覆っている。該カバー体Ｃは、図１に示すように、その一端の下部が建造物Ａの床ｆ1 の側縁に保持手段６を介して目地ｓの幅方向に移動不能に保持され、他端部を自由端部としており、該自由端部が前記摺動受枠体１の摺動空隙２９内に挿入された状態で水平受板２上に摺動可能に乗載されている。また、該自由端部には端部カバー板３の前端縁が載置されている（図３参照）。ここで、建造物Ｂの床ｆ2 の側縁には、図２に示すように、カバー体Ｃの前後方向（目地ｓの長手方向）の側傍に建造物Ｂを構成する壁等の立ち上がり部７，７が形成されており、該立ち上がり部７，７がカバー体Ｃの側縁に夫々当接することによって、カバー体Ｃの自由端部が前後方向（目地ｓの長手方向）に移動不能に位置規制されている。これにより、カバー体Ｃの自由端部は建造物Ｂ側において左右方向（目地ｓの幅方向）にのみ摺動し得るようになっている。
【００２１】
前記保持手段６は、カバー体Ｃの一端の下部に配設された角パイプからなるスライダー１６と、建造物Ａの床ｆ1 の側縁に配設されて前記スライダー１６を前後方向（目地ｓの長手方向）に摺動可能に支持する断面略Ｌ形のレール部材１７とによって構成されており、該レール部材１７の前部立ち上がり縁がスライダー１６に当接することによって該スライダー１６の脱落を防止するようにしている。そして、地震時に、隣接する建造物Ａ，Ｂの床ｆ1 ，ｆ2 相互が前後方向（目地ｓの長手方向）に相対変位すると、レール部材１７に支持されたスライダー１６の摺動作用を介して、カバー体Ｃの一端が一方の床ｆ1 の側縁に沿って前後方向に摺動して、その相対変位に追従するようになっている。
【００２２】
また、摺動受枠体１の摺動空隙２９内には伸縮可能に構成された複数の伸縮性支持杆２８が配設されており、該伸縮性支持杆２８によって端部カバー板３を下方から支持するようにしている。各伸縮性支持杆２８の一端はカバー体Ｃの先端に連結され、他端は水平受板２の立ち上がり支持縁２ａに連結されており、これによってカバー体Ｃの左右方向（目地ｓの幅方向）の摺動に伴って各伸縮性支持杆２８が伸縮するようになっている。
【００２３】
カバー体Ｃの自由端部は、地震のない常態において、図１に示すように、前記水平受板２の長さの目地ｓ側から略半分程度の位置まで水平受板２上に乗載されている。これにより、地震時に、建造物Ａと建造物Ｂとが離近する方向に相対変位すると、カバー体Ｃの自由端部が水平受板２上を左右方向（目地ｓの幅方向）に摺動してその相対変位に追従し得るようになっている。
【００２４】
次に、本発明の要部について説明する。
前記カバー体Ｃは、矩形状のカバー天板８と該カバー天板８の下面に接合された複数の補強杆９とによって構成されている。各補強杆９は、図３に示すように、夫々底板部１０と該底板部１０の幅方向両側縁から上方に立ち上げられた一対の側板部１１とによって断面コ字形に形成されており、該側板部１１の上端縁がカバー天板８の下面に溶接を介して接合されて、カバー天板８の前後方向（目地ｓの長手方向）に所定間隔で配設されている。ここで、図３に示すように、摺動受枠体１の水平受板２に乗載されるカバー体Ｃの自由端部に対応する各補強杆９の側板部１１の上端縁は、上述した端部カバー板３の厚み分だけ低くなるように切除されており、該側板部１１の上端縁が接合されるカバー天板８には側板部１１の上端縁の高位側から低位側へ傾斜する傾斜部１２が形成されている。そして、該傾斜部１２を介して低くなる低位側のカバー天板８を端部カバー板３の下部に重ね合わせて摺動空隙２９に挿入することにより、端部カバー板３の上面とカバー天板８の非重ね合わせ部８ａの上面とが同一高さとなるようにしている。これにより、摺動空隙２９に挿入されるカバー体Ｃの自由端部の上面高さが、地震のない常態で前記摺動空隙２９に挿入されないカバー体Ｃの非挿入部１３（カバー天板８の非重ね合わせ部８ａ）の上面高さに比して端部カバー板３の厚み分だけ低く設けられ、カバー体Ｃの自由端部が、その上面を端部カバー板３の下面に重ね合わせた状態で摺動空隙２９に挿入されて、カバー体Ｃの非挿入部１３の上面と端部カバー板３の上面とが略同一高さに設けられている。
【００２５】
また、化粧シート５ｂが被着された端部カバー板３の、その端縁上面には、図３に示すように、化粧シート５ｂの端縁の見切り材を兼ねた遮蔽板１４が配設されている。該遮蔽板１４は、化粧シート５ｂと略同一厚みで帯状に形成された鋼板からなり、その後端が端部カバー板３に溶接を介して接合されている。該遮蔽板１４は端部カバー板３からカバー体Ｃの非挿入部１３側に向けて突出され、傾斜部１２の上方を遮蔽する状態でその先端部がカバー体Ｃの非挿入部１３の上面に乗載されている。
【００２６】
一方、カバー体Ｃの非挿入部１３の上面には、端部カバー板３の上面に被着される化粧シート５ｂと同じ化粧シート５ｃが被着されている。該化粧シート５ｃの、前記遮蔽板１４側の端縁には該端縁を見切る見切り板１５が前記遮蔽板１４に対向させてカバー体Ｃの非挿入部１３の上面に配設されている。該見切り板１５は、化粧シート５ｃと略同一厚みで帯状に形成された鋼板からなり、見切り板１５の上方からカバー体Ｃのカバー天板８に螺合される複数の螺子１８による固定によってその配設位置が調節可能に設けられている。ここで、各螺子１８は回転によってカバー天板８にネジを切りながらねじ込まれるタッピングビスが用いられており、任意の位置に見切り板１５を固定し得るようになっている。
【００２７】
また、前記遮蔽板１４の先端部の端縁には下面から外端に向けて昇り勾配で傾斜する傾斜面１９（図４参照）が形成されており、該遮蔽板１４に対向する見切り板１５の端縁には遮蔽板１４の傾斜面１９と同方向に傾斜する傾斜面２０（図４参照）が形成されている。そして、この両傾斜面１９，２０により、地震時に隣接する建造物Ａ，Ｂが近接する方向に相対変位した場合に、遮蔽板１４が見切り板１５上に容易に乗り上げることができるようになっている。
【００２８】
かかる構成にあって、端部カバー板３と水平受板２間の摺動空隙２９に挿入されるカバー体Ｃの自由端部の上面高さが、地震のない常態で前記摺動空隙２９に挿入されないカバー体Ｃの非挿入部１３の上面高さに比して端部カバー板３の厚み分だけ低く設けられ、カバー体Ｃの自由端部が、その上面を端部カバー板３の下面に重ね合わせた状態で摺動空隙２９に挿入されて、カバー体Ｃの非挿入部１３の上面と端部カバー板３の上面とが略同一高さに設けられていることにより、カバー体Ｃの上面と端部カバー板３の上面との間に段差が生じることがなく、これによって外的美観を向上させることができる。
【００２９】
一方、地震発生によって、建造物Ａと建造物Ｂとが離近する方向に相対変位すると、カバー体Ｃの自由端部が水平受板２上を左右方向（目地ｓの幅方向）に摺動してその相対変位に追従するが、免震装置（図示省略）によって下部が支持された免震構造の建造物Ａにあっては、地震が終わった後に、建造物Ａが必ずしも地震発生前の位置に戻るとは限らず、左右方向（目地ｓの幅方向）に数ミリ乃至十数ミリ程度ずれた状態となることもある。ここで、見切り板１５が、上方からカバー体Ｃに螺合される複数の螺子１８による固定によって配設位置が調節可能に設けられていることにより、地震が終わった後に、見切り板１５と遮蔽板１４の相互間隔が施工時に設定された間隔に比して変化して、図４（Ａ）に示すように、見切り板１５に遮蔽板１４が乗り上げた状態となった場合には、図４（Ｂ）に示すように、各螺子１８を外して見切り板１５を取り外し、見切り板１５を後退させる距離に対応する幅だけ化粧シート５ｃを切除した後、再度螺子１８で見切り板１５をカバー体Ｃの非挿入部１３に固定することにより、図４（Ｃ）に示すように、見切り板１５と遮蔽板１４の相互間隔を適正間隔に戻すことができる。また逆に、図５（Ａ）に示すように、見切り板１５と遮蔽板１４の間隔が広がり過ぎた状態となった場合には、図５（Ｂ）に示すように、各螺子１８を外して見切り板１５を取り外し、該見切り板１５を遮蔽板１４側へ所定幅に亘って移動させた後、再度螺子１８で見切り板１５をカバー体Ｃの非挿入部１３に固定することにより、図５（Ｃ）に示すように、見切り板１５と遮蔽板１４の相互間隔を適正間隔に戻すことができる。尚、見切り板１５を移動させることにより該見切り板１５と化粧シート５ｃの端縁との間に生じた隙間は、コーキング材や帯状に成形した化粧シートからなる補修材２１を用いて補修が施される。
【符号の説明】
【００３０】
Ａ  建造物
Ｂ  建造物
Ｃ  カバー体
ｆ1，ｆ2  床
ｓ  目地
１  摺動受枠体
２  水平受板
３  端部カバー板
５ｂ  化粧シート
５ｃ  化粧シート
６  保持手段
１３  非挿入部
１４  遮蔽板
１５  見切り板
１８  螺子
２９  摺動空隙
【図１】
0005539783.tif 000002
【図２】
0005539783.tif 000003
【図３】
0005539783.tif 000004
【図４】
0005539783.tif 000005
【図５】
0005539783.tif 000006
【図６】
0005539783.tif 000007
【図７】
0005539783.tif 000008